(57)【要約】      （修正有）【課題】新規の球体の装填方法を実現することができるとともに、複数の球体を一気に発射することができ、ゲームの新しい展開を図ることができる球体発射玩具を提供する。【解決手段】弾き部材１０で玩具本体１の前面に形成された発射口１２から球体Ｂを発射する球体発射玩具Ａであって、上記球体Ｂを上記弾き部材１０の後方に配置された球体装填部５に装填し、球体装填部５の後方に配置された押し出し部材１１の押し操作で弾き部材１０で発射できるようにし、上記球体装填部５には左右にスライドするスライド部材６を配置し、該スライド部材６には球体Ｂが収容されたカートリッジ２を着脱可能にし、上記スライド部材６を一方にスライドさせたときには球体Ｂを直接球体装填部５に装填する供給口７が開口し、他方にスライドしたときには上記カートリッジ２が球体装填部５に移送されるようにした。【選択図】図１
0003113822.tif 000002
【実用新案登録請求の範囲】
【請求項１】
玩具本体の内部に収容した球体を、弾き部材で玩具本体の前面に形成された発射口から発射する、以下の要件を備えることを特徴とする球体発射玩具。
（イ）上記球体は上記弾き部材の後方に配置された球体装填部に、該球体装填部に形成された供給口から装填され、該球体装填部に装填された球体は、球体装填部の後方に配置された押し出し部材の押し操作で弾き部材に供給され、該弾き部材で発射されること
（ロ）上記球体装填部には左右にスライドするスライド部材を配置し、該スライド部材には球体を収容したカートリッジが着脱可能であること
（ハ）上記スライド部材を一方にスライドさせたときには上記供給口が開口し、他方にスライドしたときには上記カートリッジは球体装填部に移送されること
（ニ）上記カートリッジは先端が開口した有底筒状に形成され、後端には上記押し出し部材が貫入する貫通口が形成されていること
【請求項２】
前記カートリッジには複数の球体を収容した、請求項１記載の球体発射玩具。
【請求項３】
前記玩具本体には前記カートリッジを保持する保持部を設けた、請求項１又は２記載の球体発射玩具。
【考案の詳細な説明】
【技術分野】
【０００１】
本考案は、球体発射玩具、詳しくは球体をカートリッジに収容し、該カートリッジを球体装填部に装填することにより球体を発射することができる球体発射玩具に関するものである。
【背景技術】
【０００２】
従来、球体を発射させる玩具として様々な球体発射玩具が本出願人より提案され、実用に供されている（例えば、特許文献１）。この球体発射玩具の基本的な構成は玩具本体に１対の弾き片を設け、この弾き片間にビー玉のような球体を収容した後、押出し部材を押すことによって弾き片の基部側から上記球体を強制的に押し出して弾き片の先端をその弾発力に抗して拡開させ、さらに押し出すことによって弾き片の弾性復元力により弾き片の先端から球体を前方に弾き出すことができるようにしたものである。
【特許文献１】特願平８ー３３７７３号公報
【考案の開示】
【考案が解決しようとする課題】
【０００３】
本考案が解決しようとする問題点は、上述の球体発射玩具は弾き片間にその都度球体を装填しなければならない点であった。
【０００４】
本考案は、上記問題点を解決し、新規の球体の装填方法を実現することができるとともに、複数の球体を一気に発射することができ、ゲームの新しい展開を図ることができる球体発射玩具を提供することを課題とする。
【課題を解決するための手段】
【０００５】
前記課題を解決するために本考案に係る球体発射玩具は、玩具本体の内部に収容した球体を、弾き部材で玩具本体の前面に形成された発射口から発射する、以下の要件を備えることを特徴とする。
（イ）上記球体は上記弾き部材の後方に配置された球体装填部に、該球体装填部に形成された供給口から装填され、該球体装填部に装填された球体は、球体装填部の後方に配置された押し出し部材の押し操作で弾き部材に供給され、該弾き部材で発射されること
（ロ）上記球体装填部には左右にスライドするスライド部材を配置し、該スライド部材には球体を収容したカートリッジが着脱可能であること
（ハ）上記スライド部材を一方にスライドさせたときには上記供給口が開口し、他方にスライドしたときには上記カートリッジは球体装填部に移送されること
（ニ）上記カートリッジは先端が開口した有底筒状に形成され、後端には上記押し出し部材が貫入する貫通口が形成されていること
なお、前記カートリッジには複数の球体を収容し、複数の球体を一気に発射するようにしても構わない。
【０００６】
また、前記玩具本体には前記カートリッジを保持する保持部を設け、予め球体を装填したカートリッジを保持させておくことが好ましい。
【考案の効果】
【０００７】
請求項１の考案によれば、球体装填部に直接球体を装填するか、球体を収容したカートリッジを装填するかを自由に選択することができ、単に球体を発射するだけではなく発射する球体の装填方法を選択することができ、球体発射の遊び方に変化を与えることができる球体発射玩具を実現することができる。
【０００８】
請求項２の考案によれば、カートリッジに複数の球体を収容し、カートリッジ内の球体を一気に発射することができるので、単発的な球体の発射と複数の球体を一気に発射する２種類の発射方法を選択できるので、状況に応じて発射方法を選択することができ、新しい遊び方を実現することができる。
【０００９】
請求項３の考案によれば、玩具本体にカートリッジを保持する保持部を設けたので、カートリッジと球体発射玩具とを一体で取り扱うことができ、カートリッジを別途保管したりする必要がなく、取扱に優れた球体発射玩具を提供することができる。
【考案を実施するための最良の形態】
【００１０】
図１（ａ）（ｂ）は、本考案に係る球体発射玩具Ａの一例を示す正面側斜視図及び背面側斜視図を示し、この球体発射玩具Ａはロボットを模して形成され、玩具本体である胴体部１の両側には球体Ｂを収容するカートリッジ２が保持部であるホルダー３に着脱可能に保持され、胴体部１の背面に連設された球体装填部５にはスライド部材６が左右方向にスライド可能に配置されている。
【００１１】
上記球体装填部５の上面には球体Ｂを球体装填部５内に供給する供給口７が形成され、供給口７から供給された球体は弾き部材１０の後方に位置し、押し出し部材１１を前方に押し操作することにより弾き部材１０によって胴体部２の前面に形成された発射口１２から球体を発射することができるようになっているものである。
【００１２】
胴体部１の内部には、球体を発射する弾き部材１０が配置されている。この弾き部材１０は一対の弾き片で構成され、この弾き片の先端部間の間隔は弾き出される球体の直径よりも小さくなるように設定され、球体を押し出し部材１１で前方に押し出すことにより弾き片を押し広げ、球体の直径が弾き片の先端を通過した瞬間、弾き片の復元弾発力で球体を前方に弾き出すことができる公知の弾き部材で構成されている。
【００１３】
球体装填部５は、図２に示すように、左右側面が開口した箱状に形成され、この開口部にスライド部材６を差し込むことにより、球体装填部５に対しスライド部材６を左右にスライドできるように収容することができる。球体装填部５の後部には押し出し部材１１の前部が差し込まれ、スプリング１３で後方に突出するように付勢されている。なお、符号１４は押し出し部材１１を押し込むときの親指をあてがうトリガーを示す。
【００１４】
そして、上面には球体Ｂを供給する供給口７が形成され、スライド部材６を引き出した時には、この供給口７はスライド部材６の左側に形成された球体収容凹部１５に連通するようになっており、球体収容凹部１５は上面と前面とが開口し球体装填部５の前面に形成された開口部１６に連通するようになっている。
【００１５】
さらに、球体収容凹部１５の背面には縦長の貫通口１７が形成され、この貫通口１７は、スライド部材６を引き出した時には、押し出し部材１１の先端に対応する位置にあり、押し出し部材１１をスプリング１３に抗して押し込んだときには、弾き部材１０の先端は貫通口１７から球体収容凹部１５内に没入し、球体収容凹部１５内の球体Ｂを開口部１６を経由して弾き部材１０に向かって押し出すことができるようになっている。
【００１６】
スライド部材６は、左側に上述した球体収容凹部１５が形成され、右側にはカートリッジ２を装填するカートリッジ装填部１８が形成され、カートリッジ装填部１８の後部壁面には縦に切欠き部１９が形成されている。摘み２０を摘んでスライド部材６を球体装填部５に押し込んだ場合はカートリッジ装填部１８の切欠き部１９が押し出し部材１１の先端に対応する位置になり、スライド部材６を引き出した場合は球体収容凹部１５の貫通口１７が押し出し部材１１の先端に対応するようになっている。
【００１７】
そして、胴体部１の両側部にはカートリッジ２を保持するホルダー３が配置されている。このホルダー３は、図３に示すように、リング状で内周面には上下にガイド凸部２３が内方に向かって突出形成され、外周面には３つの支持板２４が前方に向かって突出形成されている。
【００１８】
図４（ａ）（ｂ）はカートリッジの正面側斜視図、背面側斜視図を示し、このカートリッジは、前面２ａが開口した有底筒状で、内部に複数の球体Ｂ（本発明では２個）を収容できるようにしたものである。前部には上下に一対の撓み板２５が形成され、外力を加えない限り収容した球体Ｂが出ないようにこの撓み板２５の先端内側面は内方に膨出している。そして、後端部の周面には係合溝２６が周設され、この係合溝２６には後端面に向かって切欠き部２７が２箇所対向して形成され、カートリッジ２をホルダー３に保持させる際、切欠き部２７をホルダー３のガイド凸部２３に対応させて押し込み、その後回動するとガイド凸部２３が係合溝２６に係合して外れないようになっている。
【００１９】
カートリッジ２の底部２ｂには十字状の貫通口２８が形成されている。この貫通口２８は押し出し部材１１先端を進入させるためのものである。
【００２０】
このカートリッジ２に球体Ｂを収容する場合は、図４（ｃ）に示すように、前面の開口部から球体Ｂを押し込むようにして収容する。この時、球体Ｂは撓み板２５を押し退けながら収容され、一旦収容された球体Ｂは、撓み板２５で飛び出しが阻止されるようになっている。
【００２１】
次に、上記構成の球体発射玩具の使用態様について説明する。
【００２２】
この球体発射玩具は、球体を直接球体装填部に装填する場合と、カートリッジに球体を収容し、このカートリッジを球体装填部に装填する場合との２つの装填の仕方を自由に選択することができる。
【００２３】
先ず、球体Ｂを直接、球体装填部５に装填する場合は、図５（ａ）に示すように、摘み２０を摘んでスライド部材６を引き出す。スライド部材６は図示しないスタビライザで球体収容凹部１５が球体装填部５の供給口７に対応した位置で止まるので、球体Ｂを供給口７から投入する。投入された球体Ｂは球体収容凹部１５内に収容された状態で安定しているので、図６に示すように、トリガー１４に親指をあてがい押し出し部材１１を押し込む。押し出し部材１１の先端は、貫通口１７から球体収容凹部１５内に進入し、球体収容凹部１５内の球体Ｂを前方に押し出し、弾き部材１０によって前方に発射することができる（図５（ｂ）参照）。この場合は、供給口７から装填した１個の球体Ｂが発射される。
【００２４】
引き続き球体を発射させる場合は、再び球体Ｂを供給口７に投入し、押し出し部材１１を押し込めばよい。
【００２５】
カートリッジ２を球体装填部５に装填する場合は、図７（ａ）に示すように、摘み２０を摘んでスライド部材６を引き出した後、ホルダー３からカートリッジ２を外し、外したカートリッジ２をスライド部材６のカートリッジ装填部１８に装填する。この時、貫通口２８と切欠き部１９とが対応するようにセットする（図７（ｂ）参照）。次に、摘み２０を摘んでスライド部材６を球体装填部５に押し込む（図７（ｃ）参照）。この状態では、カートリッジ２の前面は球体装填部５の開口部１６に対応し、背面は開口部２８が押し出し部材１１の先端に対応する位置になっているので、図８に示すように、トリガー１４に親指をあてがい、トリガー１７が球体発射玩具Ａの背面に当接するまで押し出し部材１１を一気に押し込む。
【００２６】
押し出し部材１１の先端は、スライド部材６の切欠き部１９、カートリッジ２の貫通口２８からカートリッジ２内に進入し、カートリッジ２内の球体Ｂ２個を同時に前方に押し出し、弾き部材１０によって連続して２個の球体Ｂを発射することができる（図９参照）。
【００２７】
このことにより、対戦相手の球体発射玩具Ａ´とターゲット３０を打ち合うようなゲームの場合は、制限時間間際で一気に２個の球体を発射することによりゲームを優位に展開することが可能になる。
【００２８】
上述したように、球体Ｂを直接球体装填部５に装填する場合と、予めカートリッジ２に球体Ｂを収容しておき、このカートリッジ２を球体装填部５に装填する場合とが自由に選択することができ、しかもカートリッジ２には複数の球体Ｂを収容しておくことにより、一気に複数の球体を発射することができるので、ターゲートを狙って球体を発射するようなゲームの場合、状況に応じて球体の発射数を変えることができ、ゲームの仕方が画一的ではなくなり、興味深い球体発射玩具を実現することができる。
【図面の簡単な説明】
【００２９】
【図１】（ａ）（ｂ）は本考案に係る球体発射玩具の正面側斜視図及び背面側斜視図
【図２】球体装填部とスライド部材との関係を示す斜視図
【図３】ホルダーを説明する球体発射玩具の正面側斜視図
【図４】（ａ）〜（ｄ）はカートリッジの構造を説明する斜視図及び球体を収容する状態の説明図
【図５】（ａ）（ｂ）はカートリッジを使用しないで球体を発射する状態を説明する背面側斜視図
【図６】カートリッジを使用しないで球体を発射する状態を説明する平面図
【図７】（ａ）〜（ｃ）はカートリッジを球体装填部に装填するまでの過程を説明する背面側斜視図
【図８】カートリッジを使用して球体を発射する状態を説明する平面図
【図９】カートリッジを使用して球体を発射した場合のゲームを説明する斜視図
【符号の説明】
【００３０】
１    玩具本体（胴体部）
２    カートリッジ
３    保持部（ホルダー）
５    球体装填部
６    スライド部材
７    供給口
１０    弾き部材
１１    押し出し部材
１２    発射口
【図１】
0003113822.tif 000003
【図２】
0003113822.tif 000004
【図３】
0003113822.tif 000005
【図４】
0003113822.tif 000006
【図５】
0003113822.tif 000007
【図６】
0003113822.tif 000008
【図７】
0003113822.tif 000009
【図８】
0003113822.tif 000010
【図９】
0003113822.tif 000011